(57)【要約】【課題】  所定の動画と音声を出力するとともにインターネットに接続可能な映像表示端末と、インターネットを介して接続可能なサーバーとからなる映像表示システムを提供する。【解決手段】  映像表示端末は、本来は、所定の動画と音声を出力するものであり、通常はテレビ放送の受信などに利用されている。しかし、この映像表示端末はインターネットに接続可能であり、つぶやきを入力して、インターネットへの送信することができる。しかし、あらかじめ上記サーバーに接続して同サーバーから不適切用語を蓄積した不適切用語データを取得しており、つぶやきが入力されたときに不適切用語が含まれているか否かを判断し、含まれていると判断されたときはつぶやきのインターネットへの送信を禁止する。【選択図】  図２
2013152555.tif 000002
【特許請求の範囲】
【請求項１】
所定の動画と音声を出力するとともにインターネットに接続可能な映像表示端末であって、
不適切用語を蓄積した不適切用語データを取得する機能と、
つぶやきを入力する機能と、
入力されたつぶやきに上記不適切用語データの不適切用語が含まれているか否かを判断する機能と、
含まれていると判断されたときは上記つぶやきのインターネットへの送信を禁止し、含まれていないと判断されたときは上記つぶやきのインターネットへの送信を許可する機能とを備えることを特徴とする映像表示端末。
【請求項２】
上記インターネットを介してサーバーに接続し、同サーバーに取得要求を行い、同サーバーが蓄積する上記不適切用語データを取得することを特徴とする請求項１に記載の映像表示端末。
【請求項３】
つぶやきが入力される度に上記サーバーに接続して不適切用語データを取得することを特徴とする請求項２に記載の映像表示端末。
【請求項４】
所定のタイミングで上記サーバーに接続して不適切用語データを取得することを特徴とする請求項２に記載の映像表示端末。
【請求項５】
上記不適切用語データを蓄積し、上記サーバーから更新された差分データを取得するとともに、取得した差分データで上記不適切用語データを更新することを特徴とする請求項２に記載の映像表示端末。
【請求項６】
上記不適切用語データを蓄積し、上記サーバーに対して不適切用語データのバージョンを問合せ、更新されたバージョンがある場合に上記サーバーから不適切用語データを取得することを特徴とする請求項２に記載の映像表示端末。
【請求項７】
所定の外部記憶媒体を読み込み可能であり、同外部記憶媒体が蓄積する上記不適切用語データを取得することを特徴とする請求項１に記載の映像表示端末。
【請求項８】
上記映像表示端末は、入力されたつぶやきに含まれていた不適切用語を蓄積し、ユーザーに表示することを特徴とする請求項１〜請求項７のいずれかに記載の映像表示端末。
【請求項９】
視聴制限の登録が可能であり、上記不適切用語データは視聴制限に対応して用意され、登録された視聴制限に対応する不適切用語データに基づいてつぶやきのインターネットへの送信の可否を判断することを特徴とする請求項１〜請求項８のいずれかに記載の映像表示端末。
【請求項１０】
上記不適切用語データは、不適切用語と関連する適切用語を含んでおり、
番組表から視聴中の番組に関する番組情報を取得し、同番組情報に含まれる上記適切用語から関連する不適切用語を抽出し、抽出した不適切用語を上記不適切用語データに加えて蓄積することを特徴とする請求項１〜請求項９のいずれかに記載の映像表示端末。
【請求項１１】
視聴中の番組に含まれるデータ放送から不適切用語を取得し、上記不適切用語データに加えて蓄積することを特徴とする請求項１〜請求項１０のいずれかに記載の映像表示端末。
【請求項１２】
不適切用語データにおける不適切用語の順番を所定の基準に従って並び替え、所定の不適切用語が最初に判定に使用されることを特徴とする請求項１〜請求項１１のいずれかに記載の映像表示端末。
【請求項１３】
上記つぶやきをパブリックタイムラインでインターネットに送信することを特徴とする請求項１〜請求項１２のいずれかに記載の映像表示端末。
【請求項１４】
映像表示端末が、デジタルテレビであることを特徴とする請求項１〜請求項１３のいずれかに記載の映像表示端末。
【請求項１５】
所定の動画と音声を出力するとともにインターネットに接続可能な映像表示端末であって、
デジタルテレビであり、
インターネットを介してサーバーに接続して不適切用語を蓄積した不適切用語データを取得する機能と、
つぶやきを入力する機能と、
つぶやきが入力される度に上記サーバーに接続して不適切用語データを取得する機能と、
入力されたつぶやきが上記不適切用語データに含まれているか否かを判断する機能と、
含まれていると判断されたときは上記つぶやきのインターネットへの送信を禁止し、含まれていないと判断されたときは上記つぶやきをパブリックタイムラインでインターネットに送信することを許可する機能とを備えたことを特徴とする請求項１に記載の映像表示端末。
【請求項１６】
インターネットに接続されるサーバーであって、上記請求項２〜請求項６に記載のサーバー。
【請求項１７】
所定の動画と音声を出力するとともにインターネットに接続可能な映像表示端末と、インターネットを介して接続可能なサーバーとからなる映像表示システムであって、
上記映像表示端末は、
上記サーバーに接続して不適切用語を蓄積した不適切用語データを取得する機能と、
つぶやきを入力する機能と、
入力されたつぶやきが上記不適切用語データに含まれているか否かを判断する機能と、
含まれていると判断されたときは上記つぶやきのインターネットへの送信を禁止し、含まれていないと判断されたときは上記つぶやきのインターネットへの送信を許可する機能とを備え、
上記サーバーは、
上記不適切用語データを蓄積する機能と、
取得要求に応じて同不適切用語データを供給する機能とを備える
ことを特徴とする映像表示システム。
【発明の詳細な説明】
【技術分野】
【０００１】
本発明は、所定の動画と音声を出力するとともにインターネットに接続可能な映像表示端末と、インターネットを介して接続可能なサーバーとからなる映像表示システムに関する。
【背景技術】
【０００２】
近年、インターネットを介して短いつぶやきを発し、不特定多数の利用者に伝達するサービスが利用されてきている。
一方、従来より、インターネットを介してメッセージを発信したり公開する電子掲示板やメッセージ伝達サービスが利用されている。
特許文献１に示すものは、ネットワークの電子掲示板システムで、チェックが必要な用語を蓄積するチェック用語データベースを備え、記事の内容中に、チェックが必要な用語と同じ用語が存在するか否かをチェックしている。
【０００３】
特許文献２に示すものは、メッセージ配信サービス、電子掲示板サービスなどにおける伝達メッセージの処理方法で、ブラックリストに登録されているリンク先であるか否かを判定する工程を実施している。
特許文献３に示すものは、携帯通信端末で、送信されるメールが制限事項に違反しているか判断している。
【先行技術文献】
【特許文献】
【０００４】
【特許文献１】特開号２００３−２４２０７８公報
【特許文献２】特開号２００７−２６５３６８公報
【特許文献３】特開号２０１１−１８０８５１公報
【発明の概要】
【発明が解決しようとする課題】
【０００５】
メッセージを伝達するもので、不特定多数の利用者に閲覧されるものでも、電子掲示板のようなものであれば、電子掲示板で閲覧可能となる前に不適切な用語の有無のチェックは可能である。しかし、つぶやきの発信は、いわゆるパブリックタイムライン機能により、即座に利用者に反映される。通常は、この判断はユーザーの自己責任によるが、ユーザーの管理が行き届かない可能性が高い状況がある場合は問題であった。
【０００６】
本発明は、所定の動画と音声を出力するとともにインターネットに接続可能な映像表示端末と、インターネットを介して接続可能なサーバーとからなる映像表示システムを提供する。
【課題を解決するための手段】
【０００７】
本発明の映像表示端末は、所定の動画と音声を出力するとともにインターネットに接続可能な映像表示端末であって、不適切用語を蓄積した不適切用語データを取得する機能と、つぶやきを入力する機能と、入力されたつぶやきに上記不適切用語データの不適切用語が含まれているか否かを判断する機能と、含まれていると判断されたときは上記つぶやきのインターネットへの送信を禁止し、含まれていないと判断されたときは上記つぶやきのインターネットへの送信を許可する機能とを備えている。
このように構成した場合、上記映像表示端末は、本来は、所定の動画と音声を出力するものであり、通常はテレビ放送の受信などに利用されている。しかし、この映像表示端末はインターネットに接続可能であり、つぶやきを入力して、インターネットへの送信することができる。
また、不適切用語を蓄積した不適切用語データを取得することができるので、ユーザーのつぶやきを入力すると、入力されたつぶやきに上記不適切用語データの不適切用語が含まれているか否かを判断する。そして、含まれていると判断されたときは上記つぶやきのインターネットへの送信を禁止するので、不適切用語を含んだつぶやきがインターネットへ送信されることはない。
一方、、含まれていないと判断されたときは、上記つぶやきは通常どおりインターネットへ送信される。
【０００８】
このような不適切用語を蓄積した不適切用語データをサーバーに蓄積しておき、あらかじめ上記サーバーに接続して同サーバーから不適切用語データを取得するようにしてもよい。このような構成とすれば、サーバーだけで不適切用語を一元管理できることになる。
【発明の効果】
【０００９】
本発明によれば、特にパブリックタイムラインでつぶやきをインターネットに送信するようなときには、不適切な用語の有無がチェックされてから発信されるので、家庭内で利用されるテレビのようなユーザーの管理が行き届かない場合であっても、不適切な用語を含むつぶやきを発信するおそれがなくなる。
【図面の簡単な説明】
【００１０】
【図１】本発明が適用された映像表示システムの概念図である。
【図２】映像表示システムのフローチャートである。
【図３】変形例にかかる映像表示システムのフローチャートである。
【図４】変形例にかかる映像表示システムの概念図である。
【図５】変形例にかかる映像表示システムのフローチャートである。
【図６】変形例にかかる映像表示システムの概念図である。
【図７】変形例にかかる映像表示システムのフローチャートである。
【図８】変形例にかかる映像表示システムの概念図である。
【図９】変形例にかかる映像表示システムのフローチャートである。
【発明を実施するための形態】
【００１１】
以下、図面にもとづいて本発明の実施形態を説明する。
＜実施例１＞
図１は、本発明が適用された映像表示システムを概念図により示しており、図２は、同映像表示システムの動作をフローチャートにより示している。
図において、映像表示端末であるデジタルテレビ１は、テレビ放送局２−１，２−２から放送されている通常のテレビ放送を受信し、その動画映像や音声を出力可能である。また、インターネット３に接続されており、所定のアプリケーションを実行することで後述するつぶやき発信サーバー４やサーバー５−１などにも同インターネット３を介して接続可能となっている。
【００１２】
デジタルテレビ１にはリモコンが備えられており、つぶやき発信用のアプリケーションを実行させた上で、リモコンを操作することによってつぶやきを入力し、インターネット３を介してつぶやき発信サーバー４に送信することができる。つぶやき発信サーバー４は各種の機能を有しているが、入力されたつぶやきをパブリックタイムラインでつぶやき利用者６−１〜６−４などに発信できる。つぶやきを発信サーバー４には各種の仕様があるものの本実施形態においては、特にパブリックタイムラインでつぶやきを発信する場合において特に有用である。
【００１３】
上記構成において、ユーザーがつぶやきを発信する際の動作について説明する。
デジタルテレビ１は、一般家庭のリビングルームなどに設置されていることが多く、大人にも子供にも利用されている。大人が自己責任でつぶやきを発信する場合だけでなく、子供も場合によってはつぶやき発信のアプリケーションを実行してつぶやきを発信してしまうことがある。
【００１４】
例えば、デジタルテレビ１にてつぶやきアプリを起動している状態で、ユーザーがリモコンを操作してつぶやきをデジタルテレビ１に入力したとする。デジタルテレビ１では、ステップ２１にて、ユーザーによるつぶやき入力ありと判断するので、ステップ２２にて、不適切用語を蓄積しているサーバー５−１に対して不適切データの取得を要求（取得要求）し、同サーバー５−１がこの取得要求に応じて供給する不適切用語データを受領する。本実施例では、つぶやき入力ありと判断したタイミングでサーバーに接続して不適切用語データを取得しているが、後述するようにこのタイミングは各種の変更が可能である。。
【００１５】
そして、入力されたつぶやきを送信する前に、ステップ２３にて、つぶやきに不適切用語が含まれているか否かを判定する。すなわち、つぶやきを分割してその中の用語毎に不適切用語データを参照し、登録されているか否かを判断する。すべての用語について不適切用語が含まれていないと判断された場合はステップ２４にてつぶやきのインターネットへの送信を許可し、つぶやきを送信する。送信されたつぶやきはパブリックタイムラインであればそのままつぶやき利用者６−１〜６−４などに発信されるが、この場合は不適切用語のチェックがされているので問題はない。
【００１６】
一方、ユーザーが子供であって視聴している番組の影響を受けて不適切な内容（性的、暴力的など）をつぶやく可能性がある。しかし、このようなつぶやきを入力した場合、ステップ２３にて、不適切用語が含まれていると判断された場合は、ステップ２５にてつぶやきの送信を禁止する。従って、パブリックタイムラインであったとしても、つぶやき利用者６−１〜６−４などに発信されることを未然に防止できる。
【００１７】
このように、デジタルテレビ１にてつぶやきを入力した後、インターネット３に送信する前の段階で不適切用語の有無を確認するのでパブリックタイムラインであったとしても、つぶやき利用者６−１〜６−４などに発信されることはない。また、このような機能自体をつぶやきを入力するユーザー毎に選択できるようにしても良い。例えば、大人が自己責任でパスワードを管理して自分以外が入力できないようなときには敢えて実行させないようにしても良い。ただし、大人であっても、不注意で不適切な用語を使ってしまうこともあるので、安全のために実行させても良い。一方、ゲストとして使用するような場合には、ユーザーがゲストであることを認識して必ず実行させるようにしても良い。
【００１８】
＜実施例２＞
つぶやきを入力した後で送信されないことが分かるよりも、予め分かっている方が都合がよい。このため、実施例２では先の実施例１の処理に加えて使用したことのある不適切用語の履歴を表示する。
図３は、履歴表示機能を追加した処理をフローチャートにより示している。
ステップ２５にて、つぶやきに不適切用語が含まれていると判定された場合、ステップ２６にて、その用語は履歴として蓄積されていくようになってい。そして、つぶやきが入力される前、ステップ２７にて、このように蓄積されている過去に使用したことのある不適切用語の履歴を表示する。この場合、全部を表示しても良いし、直前の１〜５つだけを表示するというものでもよい。
むろん、このような履歴表示を好まない場合は、表示させないような選択ができるようにしても良い。
【００１９】
＜実施例３＞
先の実施例では、つぶやきが入力される毎に最新の不適切用語データを取得するようにしている。これは常に最新のデータを利用できるという点で好ましい。しかし、不適切用語データのボリュームが大きくなってくると、毎回、データをダウンロードするのに時間がかかりすぎてしまうこともある。
【００２０】
実施例３では、データのダウンロードの頻度を下げ、容量も削減する方法を実現している。
図４は、かかる実施例３が適用される映像表示システムを概念図により示している。
同図において、不適切用語を蓄積しているサーバー５−２は、不適切用語データについて、バージョンと差分に対応している。すなわち、過去の不適切用語データについてそれぞれバージョンを振って管理しつつ、各改変毎にそれまでのバージョンのものとの差分データを作っている。従って、バージョンを比較することにより、過去の差分データを割り当てれば最新の不適切用語データを得ることができるようになる。この場合、取得するのは差分データだけであるから、ダウンロードの容量も少ない。
【００２１】
図５は、不適切用語データのバージョンを確認して差分を取得する処理をフローチャートにより示している。
本実施例では、まず、ステップ２８にて、デジタルテレビ１に蓄積されている不適切用語データのバージョンを確認する。そして、ステップ２９にて、サーバー５−２に対して最新のバージョンを問合せる。そして、ステップ３０にて、自分自身で蓄積しているもののバージョンが、問合せて得た最新バージョンよりも古く、更新が必要であるか否かを判断する。サーバー５−２の側で更新されていなければ何もしないが、サーバー５−２の側で更新されてバージョンが上がっている場合には更新が必要であり、ステップ３１にて差分データをサーバー５−２から取得して不適切データの更新を行う。なお、この例ではダウンロード容量を減らすために差分データを取得しているが、バージョンの問い合わせによって毎回ダウンロードするわけではなくなるので、更新が必要なときだけは不適切用語データの全体をダウンロードして置き換えることで更新しても良い。
このようにすることで、つぶやき入力するたびに不適切用語データの全体をダウンロードする必要が無くなるし、差分データを使って更新すればダウンロード容量が減ってダウンロードに要する時間を低減できる。
【００２２】
＜実施例４＞
デジタルテレビ１では、ペアレンタルコードを設定することができることが多い。これは視聴者の年齢などを考慮して暴力的や性的な刺激の強いテレビ放送を視聴しなくするためのものである。このような視聴制限は不適切用語との関連性が高い。このため、不適切用語データもこの視聴制限に関連づけることが可能である。
【００２３】
図６は、視聴制限毎に用意された不適切用語データを利用する映像表示システムを概念図により示している。図において、サーバー５ー３は、このような視聴制限別の不適切用語データを備えている。
図７は、視聴制限を反映させた不適切用語データを利用する処理をフローチャートにより示している。
実施例１との比較では、ステップ２１にて、ユーザーによるつぶやき入力ありと判断した後、ステップ３２にて、その時点での視聴制限を取得し、ステップ３３にて、サーバー５−３から視聴制限に対応した不適切用語データを受信する。そして、ステップ２３にて、つぶやきに不適切用語が含まれているかを判定するときには、この視聴制限に対応した不適切用語データを使用し、つぶやきのインターネットへの送信の可否を判断する。
視聴制限に対応させておくことで、例えば、場合によっては不適切な用語であるものの、そうでない場合もあるというような用語を適宜使い分けることができる。
【００２４】
＜実施例５＞
不適切な用語の判定に時間がかからないようにすることも可能である。このためには、視聴している番組について予め関連のありそうな不適切用語を取得しておいたり、比較対象の先頭にリストしておくということが有用である。
【００２５】
図８は、視聴している番組について関連のありそうな不適切用語を使用する映像表示システムを概念図により示している。
この実施例では、視聴している番組についての情報を得るために番組表サーバー７を備えている。この番組表サーバー７には、日時と放送局毎に番組表を備え、かつ、その番組の情報を番組情報として蓄積しており、インターネット３を介して検索できるようになっている。また、サーバー５−４は、実施例３の場合と同様にバージョンと差分対応の不適切用語データを備えている。また、この不適切用語データは、不適切用語に加えてこれに対応する適切な用語も含めている。これは番組表や番組情報の中には不適切用語が含まれているわけではないので、適切用語と関連させて不適切用語を抽出するようにするためである。
【００２６】
図９は、番組表や番組情報に基づいて不適切用語を予め取得する処理をフローチャートにより示している。この処理では、実施例３の場合と同様に、最初にステップ２８〜ステップ３１にて、最新の不適切用語データを取得している。ただし、ここで取得する不適切用語データは、適切用語を含むものである。
そして、ステップ２１にて、つぶやきが入力されたと判断すると、ステップ３２で、その時点での視聴中の番組情報を取得する。続いて、ステップ３３では、番組情報の内容から適切用語を抽出し、ステップ３４にて、この適切用語から関連する不適切用語を抽出する。そして、ステップ３５にて、抽出された不適切用語が先頭に並ぶように不適切用語データを並び替える。ただし、処理を簡易にするために抽出された不適切用語だけについて先にチェックし、続いて不適切用語データの全体についてチェックするという順番にすることも可能である。このように、不適切用語データにおける不適切用語の順番を所定の基準に従って並び替え、所定の不適切用語が最初に判定に使用されるようにすることもできる。
【００２７】
このようにすれば、本来は適切な用語のみで構成されている番組情報であっても、不適切用語のチェックのために有用に利用できるようになる。なお、取得する番組情報は必ずしも視聴中に限らずその時間帯で放送されている番組情報をすべて取得したり、その時間の前後のものを取得しておき、ステップ３２〜ステップ３５における不適切用語を抽出する処理を行っておいても良い。このようにしても得られる番組情報はさほど多くないから検索すべき不適切用語はさほど増えないからである。むろん、並び替えるだけであれば、データの容量も増えない。その反面、つぶやきの入力毎にチェックするのではなく、一定時間毎に行っておけばよいので、全体の処理量も減らすことができる。
このほかにも、視聴中の番組に含まれるデータ放送から不適切用語を取得し、上記不適切用語データに加えて蓄積するようにしてもよい。すなわち、データ放送で供給できるデータとして予め不適切用語を供給しておくのである。
また、不適切用語をインターネット経由以外で取得しても良い。例えば、デジタルテレビ１がＣＤやＤＶＤ、ブルーレイディスクといった外部記憶媒体を読み込み可能であり、予め不適切用語データを書き込んである外部記憶媒体から、不適切用語データを取得すればよい。この他、不適切用語データがメールのような形態で送られても良い。
【００２８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００２９】
１…デジタルテレビ、２…テレビ放送局、３…インターネット、４…つぶやき発信サーバー、５…サーバー、６…つぶやき利用者、７…番組表サーバー。
【図１】
2013152555.tif 000003
【図２】
2013152555.tif 000004
【図３】
2013152555.tif 000005
【図４】
2013152555.tif 000006
【図５】
2013152555.tif 000007
【図６】
2013152555.tif 000008
【図７】
2013152555.tif 000009
【図８】
2013152555.tif 000010
【図９】
2013152555.tif 000011